(57)【要約】【課題】玩具ブロックどうしをそれらの表面を傾斜させて組み立てる場合に、安定した嵌合を維持して連続的な角度調整を可能とする。【解決手段】玩具ブロック１は、複数の嵌合凸部１Ｂ〜１Ｅと、嵌合凸部１Ｂ〜１Ｅの間に設けられ嵌合凸部１Ｂ〜１Ｅが嵌脱可能に嵌合される嵌合凹部１Ｆ，１Ｇとを有する。複数種類のブロック１〜５を組み合わせて任意のブロック構造体を形成し得るブロックおもちゃである。嵌合凸部１Ｂ〜１Ｅの先端部分は、嵌合凸部１Ｂ〜１Ｅの厚さに相当する長さを直径とする半円柱形状（先端湾曲面１Ｂａ〜１Ｅａ）である。【選択図】  図１
2014104258.tif 000002
【特許請求の範囲】
【請求項１】
凹凸部や嵌合穴を有する複数種類の玩具ブロックを嵌合して任意のブロック構造体を形成し得るブロックおもちゃであって、
前記玩具ブロックは、嵌合凸部と２つの前記嵌合凸部を重ね合わせた状態で嵌脱可能である嵌合凹部とを有する基本ブロックを含み、
前記基本ブロックの嵌合凸部の先端部分が前記嵌合凸部の厚さに相当する長さを、前記厚さ方向に延びる直径として有する半円柱形状となっており、
前記嵌合凸部が前記嵌合凹部に嵌合した状態で前記先端部分の先端湾曲面が前記嵌合凹部の底面に回転可能に接触することを特徴とするブロックおもちゃ。
【請求項２】
前記基本ブロックは、
前記嵌合凸部の幅が前記嵌合凹部の幅の１／２であり、
前記嵌合凸部の突出量が前記嵌合凹部の深さと等しい請求項１記載のブロックおもちゃ。
【請求項３】
前記基本ブロックは、
さらに、前記嵌合凹部の幅に等しい長さを一辺とする断面正方形状の嵌合穴を有する本体部を備え、
前記本体部から互いに反対方向に前記嵌合凸部が２つずつ突出している請求項１または２記載のブロックおもちゃ。
【請求項４】
前記玩具ブロックは、円筒形状のシャフト形または角筒状のシャフト形のものを含む請求項１記載のブロックおもちゃ。
【請求項５】
前記玩具ブロックは、嵌合穴を有する車輪形の玩具ブロックを含み、
前記嵌合穴に前記角筒状のシャフト形の玩具ブロックが嵌合可能である請求項４記載のブロックおもちゃ。
【請求項６】
前記基本ブロックは、一定の大きさの基本形状のものに加えて、前記基本形状のブロックの嵌合凹部にブロック全体が嵌脱可能に嵌合する幅を有する小型形状のものを含み、
前記基本形状と前記小型形状とは相似形である請求項１〜５のいずれか１つに記載のブロックおもちゃ。
【発明の詳細な説明】
【技術分野】
【０００１】
本発明は、複数種類の玩具ブロックを組み合わせて任意のブロック構造体を形成し得るブロックおもちゃに関する。
【背景技術】
【０００２】
凸部、この凸部と嵌合する凹部、或いはこの凸部と嵌合する開口部等を備える樹脂製の玩具ブロックであって、凹凸部や、凸部と開口部等とを嵌合させて複数の玩具ブロックを連結し、ブロック構造体を組み立てて遊ぶようにしたものは知られている（例えば、特許文献１参照）。
【０００３】
また、凸部（突起）を多角柱体として、ブロックどうしを傾斜して組み立てることができるようにした組合せブロック玩具も提案されている（例えば、特許文献２参照）。
【先行技術文献】
【特許文献】
【０００４】
【特許文献１】特開平８−２９９６１０号公報
【特許文献２】実用新案登録第３１５３１１１号公報
【発明の概要】
【発明が解決しようとする課題】
【０００５】
前記特許文献１，２に記載されるような玩具ブロックでは、玩具ブロックどうしを、それらの表面が傾斜するように凹凸部を嵌合して、組み立てる際に、凸部が断面四角形や断面多角形で先端が平坦面であるため、安定した嵌合を維持して連続的な角度調整を行うことは困難である。
【０００６】
本発明は、玩具ブロックどうしを傾斜させて組み立てる場合に、安定した嵌合を維持して連続的な角度調整が可能であるブロックおもちゃを提供することを目的とする。
【課題を解決するための手段】
【０００７】
請求項１の発明は、凹凸部や嵌合穴を有する複数種類の玩具ブロックを嵌合して任意のブロック構造体を形成し得るブロックおもちゃであって、前記玩具ブロックは、嵌合凸部と２つの前記嵌合凸部を重ね合わせた状態で嵌脱可能である嵌合凹部とを有する基本ブロックを含み、前記基本ブロックの嵌合凸部の先端部分が前記嵌合凸部の厚さに相当する長さを、前記厚さ方向に延びる直径として有する半円柱形状となっており、前記嵌合凸部が前記嵌合凹部に嵌合した状態で前記先端部分の先端湾曲面が前記嵌合凹部の底面に回転可能に接触することを特徴とする。
【０００８】
このようにすれば、玩具ブロックどうしを、それらの表面が傾斜するように嵌合凹部と嵌合凸部を嵌合して、ブロック構造体を組み立てる際に、前記嵌合凸部の先端部分の先端湾曲面を前記嵌合凹部の底面に接触させながら回転することで、両者の位置関係を確定しつつ玩具ブロックの表面がなす角度について連続的な角度調整を行うことができる。よって、ブロックどうしをそれらの表面が一定の角度をなすように傾斜させた、安定した嵌合を実現できる。
【０００９】
請求項２に記載のように、前記基本ブロックは、前記嵌合凸部の幅が前記嵌合凹部の幅の１／２であり、前記嵌合凸部の突出量が前記嵌合凹部の深さと等しいことが望ましい。
【００１０】
請求項３に記載のように、前記基本ブロックは、さらに、前記嵌合凹部の幅に等しい長さを一辺とする断面正方形状の嵌合穴を有する本体部を備え、前記本体部から互いに反対方向に前記嵌合凸部が２つずつ突出している構造とすることができる。
【００１１】
請求項４に記載のように、前記玩具ブロックは、円筒形状のシャフト形または角筒状のシャフト形のものを含むことも可能である。
【００１２】
請求項５に記載のように、前記玩具ブロックは、嵌合穴を有する車輪形の玩具ブロックを含み、前記嵌合穴に前記角筒状のシャフト形の玩具ブロックが嵌合可能であるようにすることができる。
【００１３】
請求項６の記載のように、前記基本ブロックは、一定の大きさの基本形状のものに加えて、前記基本形状のブロックの嵌合凹部にブロック全体が嵌脱可能に嵌合する幅を有する小型形状のものを含み、前記基本形状と前記小型形状とは相似形であるようにすることができる。
【発明の効果】
【００１４】
本発明は、玩具ブロックどうしを、それらの表面が傾斜するように嵌合凹部と嵌合凸部を嵌合して、ブロック構造体を組み立てる際に、玩具ブロックの表面がなす角度について連続的に角度調整して所望の嵌合角度（傾斜角度）とすることができ、玩具ブロックどうしが傾斜状態であっても嵌合を安定させることができる。
【図面の簡単な説明】
【００１５】
【図１】（ａ）〜（ｅ）はそれぞれ本発明の実施の形態に係るブロックおもちゃに含まれる玩具ブロックを示す斜視図である。
【図２】前記玩具ブロックを複数組み合わせた状態を示す斜視図である。
【図３】同平面図である。
【図４】図３のＡ−Ａ線における断面図である。
【図５】１つの玩具ブロックに対し２つの玩具ブロックを、それらの表面が傾斜した状態で嵌合した場合の嵌合凸部と嵌合凹部との関係を示す説明図である。
【図６】同斜視図である。
【図７】２つの玩具ブロックを、それらの表面が９０度の角度をなすように組み付けた場合の説明図である。
【発明を実施するための形態】
【００１６】
以下、本発明の実施の形態を図面に沿って説明する。
【００１７】
図１（ａ）は本発明の実施の形態に係るブロックおもちゃの一つの玩具ブロック（基本ブロック）を示す斜視図、図１（ｂ）〜（ｅ）はそれぞれ図１（ａ）に示す玩具ブロック（基本ブロック）に嵌合により組み合わせて用いられる他の玩具ブロックを示す斜視図である。
【００１８】
本発明に係るブロックおもちゃは、凹凸部や嵌合穴を有する複数種類の玩具ブロックを嵌合して任意のブロック構造体を形成し得るもである。そして、玩具ブロックには、例えば図１（ａ）〜（ｅ）に示すように、各種形状のものが含まれ、軽量化のために中空形状となっている。これら各種形状の玩具ブロック１〜５を組み合わせて任意のブロック構造体を組み立てるものである。つまり、図１（ａ）に示すように、矩形枠状の本体部１Ａとこの本体部１Ａの角部から互いに平行に突出する４つの嵌合凸部１Ｂ，１Ｃ，１Ｄ，１Ｅとを有する基本ブロックとなる玩具ブロック１や、図１（ｂ）に示すように、一側が湾曲面２Ａａとなっている本体部２Ａとこの本体部２Ａの他側から互いに平行に突出する２つの角柱状の嵌合凸部２Ｂ，２Ｃとを有する略Ａ字形状の玩具ブロック２や、図１（ｃ）に示すように角筒形状のシャフト形の玩具ブロック３や、図１（ｄ）に示すように円筒状のシャフト形の玩具ブロック４や、図１（ｅ）に示すように車輪形の玩具ブロック５が含まれる。なお、各玩具ブロック１〜５は、中空であっても中実であってもよい。
【００１９】
次いで、本発明の特徴の１つである先端湾曲面を備える玩具ブロック１（基本ブロック）について、まず、説明する。
【００２０】
玩具ブロック１は、図１（ａ）に示すように、矩形枠状の本体部１Ａを有し、この本体部１Ａは、中央部に正方形状の嵌合穴１Ａａが貫通して形成され、本体部１Ａの一側から２つの角柱状の嵌合凸部１Ｂ，１Ｃが平行に突出する一方、他側から２つの角柱状の嵌合凸部１Ｄ，１Ｅが嵌合凸部１Ｂ，１Ｃとは反対方向に平行に突出している。そして、互いに平行に延びる嵌合凸部１Ｂ，１Ｃあるいは１Ｄ，１Ｅの間に、２つの嵌合凸部１Ｂ，１Ｃあるいは１Ｄ，１Ｅが嵌脱可能に嵌合される嵌合凹部１Ｆ，１Ｇが形成されている。そして、嵌合凸部１Ｂ〜１Ｅは断面略正方形状で、嵌合凸部１Ｂ〜１Ｅの幅は、嵌合凹部１Ｆ，１Ｇの幅Ｗの１／２であり、嵌合凸部１Ｂ〜１Ｅの突出量は、嵌合凹部１Ｆ，１Ｇの深さと等しくなっている。そして、嵌合穴１Ａは、嵌合凹部１Ｆ，１Ｇの幅を一辺とする水平断面正方形状である。よって、各嵌合凹部１Ｆ，１Ｇの大きさと嵌合穴１Ａａの大きさは対応し、ほぼ一致している。
【００２１】
各嵌合凸部１Ｂ〜１Ｅの自由端部（先端部分）は厚さ方向に直交する方向に延びる中心線（中心Ｏ参照）を有する略半円柱形状である。つまり、各嵌合凸部１Ｂ〜１Ｅの先端面は断面半円弧状の先端湾曲面１Ｂａ〜１Ｅａを形成し、その先端湾曲面１Ｂａ〜１Ｅａは嵌合凸部１Ｂ〜１Ｅの厚さＨに相当する長さを、厚さ方向における直径として有する。
【００２２】
例えば図２および図３に示すように、図１（ａ）の玩具ブロック１を３個用い、２つの嵌合凸部１Ｂ，１Ｃを嵌合凹部１Ｇに一緒に嵌合させた状態（図示左側の玩具ブロック１の図示右側の嵌合凹部１Ｇに対し、図示右側の２つの玩具ブロック１の図示左側の２つの嵌合凸部１Ｂ，１Ｃを嵌合させている状態）では、図４に示すように、先端湾曲面１Ｂａ，１Ｃａが嵌合凹部１Ｇの底面（本体部の１Ａの外周面の１つ）に接触している。この接触は、平面と湾曲面との接触であるので、それらの接触を維持した状態で２つの玩具ブロックを連続的に（無段階に）相対回転可能となっている。
【００２３】
図１（ｂ）に示す玩具ブロック２は、本体部２Ａが、玩具ブロック１の嵌合穴１Ａａと同じ大きさの嵌合穴２Ａａを有し、２つの嵌合凸部２Ｂ，２Ｃの厚さが本体部２Ａの厚さの略２倍とされている。また、嵌合凸部２Ｂ，２Ｃの先端面も断面半円弧状の先端湾曲面２Ｂａ，２Ｃａとなっており、玩具ブロック１の嵌合凸部１Ｂ〜１Ｅの場合と同様に、嵌合凸部２Ｂ，２Ｃの幅は嵌合凹部２Ｄの幅Ｗの１／２であり、別の玩具ブロックの嵌合凹部に嵌合すると、先端湾曲面２Ｂａ，２Ｃａが前記嵌合凹部の底面に接触することになる。
【００２４】
図１（ｃ）に示す玩具ブロック３は、嵌合凹部１Ｆ，１Ｇの幅に等しい長さを一辺とする角筒状のシャフト形の玩具ブロックであり、図１（ｄ）に示す玩具ブロック４は、嵌合凹部１Ｆ，１Ｇの幅Ｗに等しい長さを直径として有する円筒形状のシャフト形の玩具ブロックである。
【００２５】
図１（ｅ）に示す玩具ブロック５は、図１（ｃ）に示す玩具ブロック３（角筒状のシャフト形の玩具ブロック）が挿入される嵌合穴５ａを有し、例えば玩具ブロック３を嵌合穴５ａに挿入することで、玩具ブロック３を車軸として利用することができる。
【００２６】
上記のように基本ブロックとなる玩具ブロック１の嵌合凸部１Ｂ〜１Ｅがそれぞれ先端湾曲面１Ｂａ〜１Ｅａを有するので、例えば図２および図３に示すように、２つの玩具ブロック１の嵌合凸部１Ｂ，１Ｃを重ねて嵌合凹部１Ｇに嵌合させると、図４に示すように、先端湾曲面１Ｂａ，１Ｃａが嵌合凹部１Ｆ，１Ｇの底面（本体部の１Ａの外周面の１つ）に接触することになる。この接触は、平面と湾曲面との接触である。
【００２７】
この状態で、嵌合凸部１Ｂ，１Ｃの先端部分の中心Ｏ回りに、２つの玩具ブロックと１つの玩具ブロック１とを相対回転すれば、前記接触状態を維持して嵌合凹部１Ｃの底面（平面）に対し先端湾曲面１Ｂａ，１Ｃａが回転するので、その回転が安定する。
【００２８】
つまり、先端湾曲面１Ｃａ，１Ｂａの外周面を嵌合凹部１Ｇの底面に接触させながら回転させることができるので、ブロック構造体を組み立てる際に、両玩具ブロックの位置関係を一定に維持しながら、それらの傾斜角度（玩具ブロックの表面がなす角度）を連続的に調整して所望の嵌合角度（傾斜角度）とすることができる（図５および図６参照）。
【００２９】
よって、玩具ブロックどうしが傾斜状態で嵌合する場合も、玩具ブロックどうしが、しっかりと安定した嵌合状態となることを実現できる。
【００３０】
また、図４に示すように、玩具ブロックどうしの表面が一致している傾斜角度が０°の状態から、図５に示す状態を経て、図７に示すように、玩具ブロック１どうしの表面が９０°の角度をなす状態まで連続的に角度調整をすることができ、逆方向にも同様に連続的に角度調整をすることができる。そして、嵌合状態では嵌合凹部１Ｇの底面に嵌合凸部１Ｂ，１Ｃの側面が接触しているので、その接触状態は安定し、嵌合凹部１Ｇを形成する２つの嵌合凸部１Ｄ，１Ｅの表面より、嵌合凹部１Ｇに嵌合される嵌合凸部１Ｂ，１Ｃの先端部分が突出することもない。
【００３１】
なお、本明細書で使用している用語と表現は、あくまでも説明上のものであって、なんら本発明を限定するものではなく、本発明の技術思想の範囲内で、種々の変形態様が可能であることはいうことはいうまでもない。例えば、次のように変更して実施することができる。
【００３２】
(i)玩具ブロックの形状は、図示したものに限らず、周知のように、互いに嵌合することができる一定の寸法関係を満たす凹凸部等を備え、凹凸部等を相互に嵌合させて玩具ブロック相互を連結し、所望のブロック構造体を作ることができる形状のものであれば、特に制限されない。
【００３３】
(ii)前記実施の形態では、玩具ブロックの大きさは、嵌合凸部と嵌合凹部あるいは嵌合穴との嵌合を実現するものであるが、例えば複数種類の玩具ブロックうちの一種類の玩具ブロック全体の幅が、別の種類の玩具ブロックにおける嵌合凹部の幅に等しくなるように形成し、玩具ブロックどうしを相互に嵌合可能である相似形状のもの含むようにすることも可能である。
【符号の説明】
【００３４】
１〜５    玩具ブロック
１Ａ    本体部
１Ａａ    嵌合穴
１Ｂ〜１Ｅ    嵌合凸部
１Ｂａ〜１Ｅａ    先端湾曲面
１Ｆ，１Ｇ    嵌合凹部
２Ａ    本体部
２Ａａ    嵌合穴
２Ｂ，２Ｃ    嵌合凸部
５ａ    嵌合穴
【図１】
2014104258.tif 000003
【図２】
2014104258.tif 000004
【図３】
2014104258.tif 000005
【図４】
2014104258.tif 000006
【図５】
2014104258.tif 000007
【図６】
2014104258.tif 000008
【図７】
2014104258.tif 000009